(57)【要約】【課題】集塵性能を低下させることなく、長期間使用できる電気掃除機を提供すること。【解決手段】集塵室５の内部空間に装着され、流入する空気中の塵埃を濾過するフィルター１６と、フィルター１６の下部に配置され、流入する空気の送風力により回転かつ上下動する回転体２２と、フィルター１６の内側に配置され回転体２２と連結された清掃体２７とを備え、清掃体２７が回転体２２と連動し、回転かつ上下動して、フィルター１６壁面を内側から清掃する構成としたもので、清掃体２７に繊維状の塵埃が絡み付いて、その回転等を妨げられることもなく、フィルター１６壁面に付着した塵埃をその内側から、回転方向かつ上下方向に常時掃き取ることが可能になり、集塵性能が低下せず、長期間使用できる電気掃除機を提供できる。【選択図】図２
2008035887.tif 000002
【特許請求の範囲】
【請求項１】
内部に捕集空間を有し、塵埃を含む空気が流入する吸入口及び浄化された空気が排出される排出口が形成された集塵室と、前記集塵室の内部空間に装着され前記吸入口から流入する空気中の塵埃を濾過するフィルターと、前記フィルターの下部に配置され、前記吸入口に流入する空気の送風力により回転かつ上下動する回転体と、前記フィルターの内側に配置され前記回転体と連結された清掃体とを備え、前記清掃体が前記回転体と連動し、回転かつ上下動して、前記フィルター壁面を内側から清掃する電気掃除機。
【請求項２】
回転すると下方の軸方向に空気流を発生させる、断面略逆三角形状の羽根体を、回転体の下部に連結した請求項１記載の電気掃除機。
【請求項３】
回転体を、フィルター内部に設けた請求項１または２記載の電気掃除機。
【発明の詳細な説明】
【技術分野】
【０００１】
本発明は、電気掃除機のフィルターに付着した塵埃を自動的に除去できる電気掃除機の除塵構造に関するものである。
【背景技術】
【０００２】
従来の電気掃除機を、図６を用いて説明する。
【０００３】
図６に示す電気掃除機は、内部に捕集空間を有して、塵埃を含む空気が吸入される吸入口１４０と、浄化された空気が排出される排出口１５０が形成されたケーシング１２０と、このケーシング１２０の内部空間に装着されて吸入口１４０に吸入される空気中の塵埃を濾過するフィルター１３０と、このフィルター１３０の外周面を取り囲むように配置されて、吸入口１４０に吸入される空気の送風力により回転しながらフィルター１３０を掃除するフィルター掃除ユニット２００を備えている（例えば、特許文献１参照）。
【特許文献１】特開２００５−２９６６２３号公報
【発明の開示】
【発明が解決しようとする課題】
【０００４】
このような従来の電気掃除機では、フィルター１３０の外周に設けられ、空気の送風力により回転かつ浮上するフィルター掃除ユニット２００に、髪の毛等の繊維状の塵埃が絡み付き、フィルター掃除ユニット２００の回転を妨げるため、フィルター１３０に付着した塵埃を掃き取ることができず、フィルター１３０の流路が目詰まりし、吸入力が低下して、掃除を円滑に行うことができなくなるおそれがあるという課題があった。
【０００５】
本発明は上記従来の課題を解決するもので、掃除時にフィルターに付着する塵埃を絶えず自動的に除去することにより、フィルターの流路詰まりを抑え、吸入力を低下させることなく長期間使用することができる電気掃除機を提供することを目的とする。
【課題を解決するための手段】
【０００６】
上記課題を解決するために本発明は、内部に捕集空間を有し、塵埃を含む空気が流入する吸入口及び浄化された空気が排出される排出口が形成された集塵室と、前記集塵室の内部空間に装着され前記吸入口から流入する空気中の塵埃を濾過するフィルターと、前記フィルターの下部に配置され、前記吸入口に流入する空気の送風力により回転かつ上下動する回転体と、前記フィルターの内側に配置され、前記回転体と連結された清掃体とを備え、前記清掃体が前記回転体と連動し、回転かつ上下動して、前記フィルター壁面を内側から清掃する電気掃除機としたものである。
【０００７】
これによって、集塵室内部に吸入される空気の送風力により回転かつ浮上する回転体に連結される清掃体がフィルター内部に設けられているため、清掃体に繊維状の塵埃が絡み付いて、その回転等が妨げられるということもなく、清掃体がフィルターの内側から回転かつ上下動して、フィルター壁面に付着した塵埃を回転方向かつ上下方向に掃き取ることが可能になり、掃除機の運転中、フィルターを常時清掃して、吸入力の低下を抑えることができる。
【発明の効果】
【０００８】
本発明の電気掃除機は、回転かつ浮上する清掃体が、フィルターに付着した塵埃を、その内側から回転方向かつ上下方向に掃き取り、吸入力を低下させることを抑えるもので、吸入力を低下させることなく長期間使用することができる。
【発明を実施するための最良の形態】
【０００９】
第１の発明は、内部に捕集空間を有し、塵埃を含む空気が流入する吸入口及び浄化された空気が排出される排出口が形成された集塵室と、前記集塵室の内部空間に装着され前記吸入口から流入する空気中の塵埃を濾過するフィルターと、前記フィルターの下部に配置され、前記吸入口に流入する空気の送風力により回転かつ上下動する回転体と、前記フィルターの内側に配置され、前記回転体と連結された清掃体とを備え、前記清掃体が前記回転体と連動し、回転かつ上下動して、前記フィルター壁面を内側から清掃する電気掃除機としたもので、塵埃が付着することなく集塵室内部に吸入される空気の送風力により回転かつ浮上する回転体を設けたことで、前記吸入口から吸入される空気の送風力により回転かつ浮上する回転体と、前記フィルター内に配置され、前記回転体に連結されて、回転かつ浮上する清掃体が、フィルターに付着した塵埃を回転方向かつ上下方向に掃き取り、フィルター流路の目詰まりをなくすことで吸入力の低下を抑え、長期間使用することができる。
【００１０】
第２の発明は、回転すると下方の軸方向に空気流を発生させる、断面略逆三角形状の羽根体を、回転体の下部に連結したもので、塵埃が集塵室に堆積されると、高層の塵埃がフィルター近傍に近づきフィルターに付着しやすくなるが、回転する羽根体から放出される空気の下降気流が、高層の塵埃を押し下げ圧縮することで、堆積される塵埃の高さを低くし、フィルターに付着しにくくなり、フィルター流路の目詰まりなくし吸入力を低下させることを抑え、長期間使用することができる。
【００１１】
第３の発明は、回転体をフィルター内部に設けたもので、回転体がフィルター内にあるため、塵埃が回転体に付着することがなく、塵埃が回転体に付着し、回転性を低下させることがないので、回転体に連通する清掃体が絶えず高速に回転し、フィルターに付着した塵埃を絶えず払い取り、フィルター流路の目詰まりなくし吸入力を低下させることを抑え、長期間使用することができる。
【００１２】
以下、本発明の実施の形態について、図面を参照しながら説明する。なおこの実施の形態によって本発明が限定されるものではない。
【００１３】
（実施の形態１）
本発明の第１の実施の形態について、図１、図２を用いて説明する。なお、従来例と同一部分については、同一符号を付してその説明を省略する。
【００１４】
図１、図２において、５は吸入風を発する電動送風機６と塵埃を吸入する吸込具に連通し、上側が開口したカップ状に形成された集塵室である。
【００１５】
また、９は前記吸込具にて吸入した塵埃を含む吸入風を集塵室５に流入するための吸入口である。また、１１は前記集塵室５を運ぶための把手部で、１２は前記集塵室５の略上方に開口部を覆い、略円筒状をなすフィルター１６を配設され中心には排出口３５を設けた集塵蓋である。
【００１６】
また、２１はフィルター１６の下部に設けた略円筒状の回転体２２と、前記回転体２２と連通する略円柱状の軸部２３と、前記軸部２３の外周に設けた清掃体２７とで構成されるフィルター清掃ユニットである。
【００１７】
前記回転体２２は、フィルター外周より大きい略円柱状に形成され、前記回転体の端面には複数の羽根部２８が形成され、吸入口９から吸入される旋回流が、前記羽根部２８に当たることにより、回転体２２が回転かつ浮上する。
【００１８】
前記軸部２３上部は前記集塵蓋１２の排気口３５上面に設けられた保持部Ａ３０の軸穴を通り略円柱状の止め部３７に勘合し、前記軸部２３下部はフィルター１６下部に設けられた保持部Ｂ３１の軸穴を通り、回転体２２の中心に連通している。
【００１９】
清掃体２７は、ブレード３８と前記ブレード内側面に配設されたブラシ３６から構成される。前記ブラシ３６はフィルター１６のメッシュ穴を通り抜け、フィルター１６の外寸法より僅かに大きい外寸法を有している。
【００２０】
前記清掃体２７は、前記軸部２３外周に配設され、吸入風による旋回流で回転体２２が回転しかつ浮上し、前記回転体２２に連通する軸部２３も回転かつ浮上し、前記軸部２３に配設された清掃体２７も回転かつ浮上する。
【００２１】
以上のように構成された電気掃除機について、以下その作用を説明する。
【００２２】
電気掃除機を運転すると、電動送風機６より吸入された塵埃を含む吸入風は吸入口９を通り、集塵室５の内面の略接線方向に吸入される。
【００２３】
吸入された塵埃を含む吸入風は、前記集塵室５内周面を回転しながら自らの質量により下方に落下し、前記集塵室５下部に堆積される。その後、前記集塵室５のフィルター１６近傍で発生した回転気流は、前記集塵室５の底面で反射することにより再度上昇するため、いったん堆積された塵埃は再度上方に巻き上げられる。
【００２４】
集塵室５に塵埃が堆積され続けると、堆積された上層の塵埃は、吸入風が流れ込むフィルター１６に近づくため前記フィルター１６に付着するが、集塵室内の旋回流で回転かつ浮上する回転体に軸部を介して連通している清掃体２７が回転かつ浮上することで、フィルター１６に付着した塵埃を除去するため、フィルター１６流路の目詰まりをなくして吸入風を低下させることを抑える。また、フィルター１６下部に回転体２２を設けたことで、旋回流のみで回転体２２が回転するため、塵埃が回転体に巻き付くことがなく、回転を妨げることがないため、絶えず回転することでフィルター１６に付着した塵埃を掃き取り長期間掃除をすることができる。
【００２５】
（実施の形態２）
本発明の第２の実施の形態について、図２を用いて説明する。なお、従来例、上記第１の実施の形態と同一部分には同一符号を付し、その説明は省略する。
【００２６】
図２において、清掃体２７を帯電防止剤を含んだ材料で形成したものである。
【００２７】
以上のように構成された電気掃除機について、以下その作用を説明する。
【００２８】
帯電防止剤の効果で、回転かつ浮上する清掃体２７とフィルター１６が擦れ合うことによる静電気が発生せず、塵埃が静電気によりフィルター１６に付着することなく容易に清掃体２７により掃き取られ、フィルター１６の流路の目詰まりをなくし吸入力を低下させることを抑え長期間使用することができる。
【００２９】
（実施の形態３）
本発明の第３の実施の形態について、図３を用いて説明する。なお、従来例、上記第１、第２の実施の形態と同一部分には同一符号を付し、その説明は省略する。
【００３０】
図３において、回転体２２をフィルター１６内上部に設けたものである。
【００３１】
以上のように構成された電気掃除機について、以下その作用を説明する。
【００３２】
回転体２２がフィルター１６内にあるため、塵埃が回転体２２に付着することがなく、回転性を低下させることがないので、回転体２２に連通する清掃体２７が絶えず高速に回転し、フィルター１６に付着した塵埃を絶えず払い取り、フィルター１６の流路の目詰まりをなくし吸入力を低下させることを抑え、長期間使用することができる。
【００３３】
（実施の形態４）
本発明の第４の実施の形態について、図４を用いて説明する。なお、従来例、上記第１〜第３の実施の形態と同一部分には同一符号を付し、その説明は省略する。
【００３４】
図４において、３３は回転すると軸方向に空気を放出し、回転体２２下部に、前記回転体２２と同軸に連通して設けた羽根体である。
【００３５】
塵埃が集塵室５に堆積されると、高層の塵埃がフィルター１６近傍に近づき、吸入力でフィルター１６に付着しやすくなるが、回転する羽根体３３から発生放出される下降気流が、高層の塵埃を押し下げ圧縮することで、堆積される塵埃の高さを低くし、フィルター１６に付着しなくなり、フィルター１６の流路の目詰まりをなくし吸入力を低下させることを抑え、長期間使用することができる。
【００３６】
（実施の形態５）
本発明の第５の実施の形態について、図５を用いて説明する。なお、従来例、上記第１〜第４の実施の形態と同一部分には同一符号を付し、その説明は省略する。
【００３７】
図５において、２２Ｂは回転すると軸方向に空気を放出する羽根体３３と回転体２２とを一体に形成した回転体である。
【００３８】
以上のように構成された電気掃除機について、以下その作用を説明する。
【００３９】
図５において、羽根体３３と回転体２２とを一体に形成したことで、回転体２２Ｂの自重を軽量化でき、回転体２２Ｂの回転性を向上させ、羽根体３３から放出される下降気流を高め、より高層の塵埃を押し下げ圧縮することで、堆積される塵埃の高さをより低くし、フィルター１６に付着しなくなり、フィルター１６の流路の目詰まりをなくし吸入力を低下させることを抑え、長期間使用することができる。
【産業上の利用可能性】
【００４０】
以上のように、本発明にかかる電気掃除機は、集塵性能を低下させず長期間使用することができ、使用性を向上した電気掃除機を提供できる。
【図面の簡単な説明】
【００４１】
【図１】本発明の実施の形態１を示す電気掃除機の断面図
【図２】同、電気掃除機の集塵室の略断面図
【図３】本発明の実施の形態３を示す電気掃除機の集塵室の要部断面図
【図４】本発明の実施の形態４を示す電気掃除機の集塵室の要部断面図
【図５】本発明の実施の形態５を示す電気掃除機の集塵室の要部断面図
【図６】従来の電気掃除機の断面図
【符号の説明】
【００４２】
５    集塵室
９    吸入口
１６  フィルター
２２  回転体
２７  清掃体
３３  羽根体
３５  排出口
【図１】
2008035887.tif 000003
【図２】
2008035887.tif 000004
【図３】
2008035887.tif 000005
【図４】
2008035887.tif 000006
【図５】
2008035887.tif 000007
【図６】
2008035887.tif 000008